(57)【要約】      （修正有）【課題】発光機能の無い杖に簡単に装着して杖使用者の視認性向上と、杖の突き先の安全確認ができる省電力で明るく安価な杖用照明具を提供する。【解決手段】光源２ａ，２ｂを有する本体部１と本体部と独立したＳＷ部３とからなり、本体部の軸受１Ｊと凸軸１Ｔを嵌合し、ＳＷ部は電線３Ｗとコネクター３Ｓｏとクリップ３Ｋからなり、コネクター３Ｓｏと本体部のコネクター１Ｓｍとを結合させ、軸受１Ｊで回転することにより光源の水平を維持する。クリップ１Ｋ，３Ｋにより杖に装着する。【選択図】図６
0003192624.tif 000002
【実用新案登録請求の範囲】
【請求項１】
光源（２）を有する本体部（１）とＳＷ部（３）とからなる杖用照明具であって、本体部（１）の軸受（１Ｊ）と本体部（１）の凸軸（１Ｔ）を嵌合し、本体（１）と独立したＳＷ部（３）は電線（３Ｗ）とコネクター（３Ｓｏ）とクリップ（３Ｋ）からなり、コネクター（３Ｓｏ）と本体部のコネクター（１Ｓｍ）とを結合させ、軸受（１Ｊ）で回転することにより光源が水平を維持することを特徴とする杖用照明具。
【請求項２】
ＳＷ部（３）に常時点灯可能なランプ（２Ｌｑ）と警報器（３ｑ）及び・／又は電池（４Ｄ）とＳＷ（３ｂ）とを有することを特徴とする  請求項１記載の杖用照明具。  
【請求項３】
請求項１又は２に記載した杖用照明具を有する事を特徴とする杖。  
【考案の詳細な説明】
【技術分野】
【０００１】
本考案は、発光機能を有する杖用照明具に関する。
【背景技術】
【０００２】
歩行時に杖を必要とする人達が遭遇する事故の内、暗がりで足元の障害物や段差の見落としに起因する転倒、転落事故の発生件数が多発しており、特に事故率が高い高齢者用の事故予防策として、杖使用者の存在確認と足元照明となる発光機能を備えた光る杖が求められている。
特許文献１では発光機能と転倒時の自動音声表示機を備えた杖（実公平７−９７８）が提唱されており、また特許文献２（特開２００２−２６２９１３）ではハンドル部から前方を照射する方式が提唱されている。
【０００３】
本考案は、発光機能の無い普通の杖（以下、これを杖という。）に簡単に装着して杖使用者の視認性向上と、杖の突き先の安全確認ができる省電力で上記３形態に対応可能な明るく安価な杖用照明具の開発を課題とする。
【０００４】
従来の光る杖は予め光る杖として設計、商品化されたものを購入するため高価な物であり、また杖に固定されているため下記杖付き動作によって照明光が揺れ動く（以下、これを光踊という。）ため目が疲れるという問題があった。
一般的な杖付き動作は、身体の中心より前方に振上げる動作が多い形、後方に流す動作が多い形、歩幅程度のほぼ水平移動する形とに大別されるが、従来品の多くは歩幅程度の水平移動する形には光踊幅が少ないため問題に成らずにいたが、上記前方に振上げる形と後方へ流す形への対策は節電を犠牲にして広範囲を明るく照明するしかなかった。
また、老人用のステッキやウォーキング用のストックから松葉杖他多品種の杖に後加工で光る杖化できる杖用の照明具を、例えば杖の任意の位置に照明具を設けて手元スイッチで前方を明るく照らせる様な使い易く安価な照明具が求められていた。  
【先行技術文献】
【特許文献】
【０００５】
【特許文献１】実公平７−９７８
【特許文献２】特開２００２−２６２９１３
【特許文献３】特開２０１０−０６３８６８
【考案の概要】
【考案が解決しようとする課題】
【０００６】
本考案は、発光機能の無い普通の杖（以下、これを杖という。）に簡単に装着して杖使用者の視認性向上と、杖の突き先の安全確認ができる省電力で前記３形態に対応可能な明るく安価な杖用照明具の開発を課題とする。
【課題を解決するための手段】
【０００７】
上記課題を解決するため本考案は、杖装着用のクリップと電池を格納する電池ボックスと光源と発光回路を有する蓋とを有し、軸受で回転することにより光源を水平に維持する本体とスイッチ（以下これをＳＷという。）とを用いて杖動作に関りなく光源を水平に維持して光踊を減らした照明具を提供する。
【０００８】
杖用照明具は防水型が好ましい。
杖用照明具は、単一素材で形成するのが好ましいが、複数素材を組合せてもよい。
杖用照明具は、樹脂材や硬質ゴム材が好ましいが、他の素材を用いてもよい。
杖用照明具の杖への装着は、クリップ止め方式が好ましいがベルト止や面ファスナー止
め等他の方式でもよい。
本体部は、一体型が好ましいが、一部開閉型や分割型でもよい。  
杖用照明具は、電池交換可能型が好ましいが、交換が出来なくてもよい。
電池は、一次電池が好ましいが、二次電池を用いてもよい。
光源は、LEDが好ましいが、他の物でもよい。
光源は、単数使用が好ましいが複数使用してもよい。
光源には、カバーを付ける事が好ましいが、付けなくても良い。
光源は、常時点灯するのが好ましいが、点滅させても良い。
光源には、導光体や発光体あるいは反射鏡を併用するのが好ましいが使わなくてもよい。
点灯回路には、ステップアップ回路を用いるのが好ましいが、用いなくてもよい。
点灯回路には、電流帰還制御回路を用いるのが好ましいが、用いなくてもよい。
光源の水平維持は、機械式が好ましいが、他の方式を用いても良い。
光源の水平維持には、筒又は円柱と錘を用いて下側加重にした平衡具を用いるのが好ましいが、水平維持ができれば他の方式でも良い。
本体とＳＷを結ぶ電線は、コネクターの使用が好ましいが、直結してもよい。
【考案の効果】
【０００９】
本考案は、杖用照明具を任意の位置に装着する簡単な改造で杖を光る杖化して、前方と杖の突先近傍を光踊の少ない明るい光で照明して前方の安全確認と杖使用者の視認性の向上と、夜間や雨中における不適当な場所への杖突きに起因する事故や衝突事故の予防効果を有する。
【図面の簡単な説明】
【００１０】
【図１】実施例１、杖用発光具１００の斜視図
【図２】本体部１の断面図
【図３】蓋１Ｆの部品配置図
【図４】回路図
【図５】ＳＷ３の部品配置図
【図６】実施例２、発光具２００の斜視図
【図７】実施例２の本体部１の断面図
【考案を実施するための形態】
【００１１】
以下、図面を使って説明する。
図１は杖用照明具１００の斜視図、図２は本体部１の断面図、図３は、蓋１Ｆの部品配置図、図４は回路図である。
実施例１の杖用照明具１００は、光源の水平維持機能を有する本体部１と、独立したＳＷ部３とを組合せて杖用照明具と為すもので、光源カバー１ＦＧと窓１Ｍと軸受１Ｊと凸軸１Ｔと平衡筒１ＨＶと光源２とステップアップ回路５とコネクター（１Ｓｍ）とヒンジ１Ｐと、電池４Ｄと電池ボックス４とクリップ１Ｋと、コネクター３Ｓｏと、電線３ｗと常用ＳＷ３ａと点滅型の表示ランプ２Ｌと緊急ＳＷ３ｂと緊急ランプ２Ｌｑと警報器３ｑと補助電池４Ｂとにより概略構成する。
【００１２】
本体部１は、電池４Ｄを格納した電池ボックス４を有する本体中部１Ａと、杖装着用
のクリップ１Ｋを有する本体後部１Ｕと、光源カバー１ＦＧと窓１Ｍと軸受１Ｊと、前面に設けたＬＥＤ光源２a、２ｂと同重量の錘１Ｎａで平衡させて下側の錘１Ｎｂで下側加重にして光源の水平を維持する凸軸１Ｔを有する平衡筒１ＨＶｓと、ステップアップ回路５とコネクター１Ｓｍを有しヒンジ１Ｐを軸に開閉する蓋部１Ｆとで構成する。
【００１３】
蓋部１ＦのＬＥＤ光源２は、凸軸１Ｔに嵌合した軸受１Ｊを軸に回転する平衡筒
１ＨＶｓの錘が示す垂直方向に対して直角となる水平を維持して、杖振りの角度に拘わ
らず水平方向に放光して踊光を減らすものである。
なお、平衡筒１ＨＶの表面に設けた杖先近傍照明用のＬＥＤ光源２ａと前方照明用のＬＥＤ光源２ｂは、窓１Ｍと光源カバー１ＦＧとの空間内を平衡筒ＨＶｓの回転によって首を振る様に上下に振って（以下、これを首振りという。）結果的に上記ＬＥＤ光源の水平を維持する。
また、平衡筒１ＨＶｓに取付けたLED光源２は、平衡筒１ＨＶｓの上部に設けた帯形接点１Ｖｔと蓋部１Ｆの天井部に設けたバネ接点１Ｆｔを介してステップアップ回路５に結ばれている。
本体後部１Ｕのクリップ１Ｋは本体部１を杖に装着する物であり、さらに本体中部１Ａ内の電池４は、ヒンジ１Ｐを軸に蓋部１Ｆを開閉して電池ボックス４内の電池４Ｄを出し入
れする。  また蓋１Ｆと電池ボックス４との間に設けた柱４Ｈは、蓋部１Ｆ閉鎖後の電
池への加圧補助と蓋部１Ｆ開放に必要な電線の余裕分を巻付け収納するものである。
【００１４】
背後に設けたクリップ３Ｋにより杖に固定するＳＷ３の常用ＳＷ３ａと点滅型ＬＥＤ光源を用いたＯＮ、ＯＦＦの表示ランプ２Ｌは、電線３Ｗを介して蓋部１Ｆのステップアップ回路５に結ばれるものであり、別電源を用いる緊急ＳＷ３ｂと緊急用ランプ２Ｌｑと警報器３ｑは補助電池４Ｂを電源にしたもので有る。
ＳＷ３は、常用のＳＷ３ａをＯＮして本体のＬＥＤ光源２aと２ｂを点灯すると共に、光源２のＯＮ、ＯＦＦ状況を表示する点滅型のＬＥＤ光源を用いたランプ２Ｌを点灯してＳＷ３aの消し忘れ、つけ忘れ等を予防すると共に、非常時にはＳＷ３ｂをＯＮして警告ランプ２Ｌｑを点灯すると同時に警報器３ｑを鳴らして救助を求めることができる。
さらに上記ＳＷ３は、本体の電池４が容量の激減状態（以下、これを電池切れという。）になっても使える様に補助電池４Ｂを別電源にして非常に時対応したものである。
なお、ＳＷ３の電池４Ｂの交換はＳＷ３の下側に螺合した先端中心部にプラス端子と先端に設けたリング形のマイナス端子を有する電池ボックス４Ｂを螺外して中間部に設けたクリップ形の開口部４Ｂｋから電池４を出し入れする。
【００１５】
照明具１００は、ＬＥＤ光源を水平に維持して光踊を減らすと共に、前方照明用のＬＥＤ光源２ｂと近傍照明用のＬＥＤ光源２ａを合せて杖付きに必要な広範囲を照明するもので、上記により光る杖化した杖は使用開始時にSW3ａをＯＮしてから終了のＯＦＦで消灯するまで点灯する（以下、これを常灯と言う。）が、ステップアップ回路５により１．２Ｖ、１．５Ｖ電池の共用と、電池の消耗による照度低下の影響を減らして安定した照度を長持ちさせる。
【００１６】
なお、長さ調節機能を備えた杖であっても使用者が初めに定めた杖の長さを変えるこ
とは殆んどしないので後付け加工する本照明具の場合、例えば杖の中段に装着した本体部１のコネクター１Ｓｍと、任意の位置に取付けたSW３のコネクター３Ｓｏとを結合した結果生じる電線３ｗの余剰分は、杖に螺旋状に巻付ける等して調節（図示せず）、固定する。
上記により照明具１００は、杖の使用者が任意の位置に装着した本体部１と、任意の位
置に装着したＳＷ３とを電線３ｗで結び、ＳＷ３aのＯＮで常灯して視認性の向上と踊光の少ない広範囲照明で前方と杖先近傍の安全確認ができる使い易く経済的な照明具で有ると共に、非常時用には、ＳＷ３ｂをＯＮして緊急ランプ２Ｌｑの点滅と警報器３ｑによって救助を求める事ができる利便性を加えて前記事故を予防するものである。
【００１７】
実施例２は、光源２の水平維持機能を有する本体部１とＳＷ３ｂとを組合せて照明具２００と為すもので、図６は杖用照明具２００の斜視図、図７は図６の本体の断面図である。
実施例２の杖用照明具２００は、補助電池を省略したＳＷ３と、電池４Ｄを格納する電池ボックス４と凸軸１Ｔを有する本体中部１Ａと、軸受１Ｊと杖装着用のクリップ１Ｋとを有する本体後部１Ｕと、ＬＥＤ光源２とステップアップ回路５とコネクター１Ｓｍとを有しヒンジ１Ｐで開閉するする蓋部１Ｆとにより概略構成する。
杖用照明具２００は、前記実施例との類似重複部分が多いので類似重複部分の説明を省
略すると共に、重複部位の符号は共用する。
【００１８】
本体後部１Ｕに設けたクリップ１Ｋで杖に装着する本体部１は、本体中部１Ａの凸軸１Ｔに嵌合した軸受１Ｊを軸に回転して錘兼用の電池４Ｄが示す垂直方向に対して直角となる水平方向にＬＥＤ光源２を維持して踊光が少なく明るい光を水平方向に放射する。
蓋部１Ｆは、前面に設けたＬＥＤ光源２aと２ｂ、内部にステップアップ回路５を有し、前面に設けたヒンジ１Ｐを軸に開閉して電池４Ｄを出し入れする。
ＳＷ３と本体部１との結合及び使い方と効果、特徴等は前記実施例と同じで有る。
照明具２００は、上記ＳＷ３の補助電池４Ｂを省略して本体の電池４Ｄを電源とした事
と蓋部１Ｆの窓１Ｍ，光源カバー、平衡筒１ＦＶｓ、錘１Ｎａと１Ｎｂ、接点１Ｆｔと
１Ｖｔを省略外して、凸軸に嵌合した軸受１Ｊで回転して光源の水平を維持するという特徴を有する低価格化したものである。
【００１９】
上記により、杖用照明具１００あるいは２００を用いて光る杖化した杖は、前記視認
性の向上と事故予防に役立つと共に、緊急対応もできる経済的で安心して使える光る杖
にすることができる。
さらに、本考案の照明具１００と２００は、松葉杖他多種類の杖に装着する事ができる。
【産業上の利用可能性】
【００２０】
本考案は、安価で取付け簡単な本杖用照明具を杖に後加工で取付けて光る杖化することにより、杖私用者の視認性を向上すると共に前方と近傍を踊り光の少ない光で明るく照らして前記事故の予防に供するものである。
【符号の説明】
【００２１】
１００・・・実施例１の照明具
２００・・・実施例２の照明具
１・・・・・本体部
１Ａ・・・・本体中部
１Ｕ・・・・本体後部
１Ｆ・・・・蓋部
１Ｊ・・・・軸受
１Ｔ・・・本体の凸軸
１Ｋ・・・杖装着用のクリップ
１Ｓｍ・・・本体側のコネクター
１Ｐ・・・・ヒンジ
１ＦＧ・・光源カバー
１Ｍ・・・窓（ＬＥＤ移動用）
１Ｆｔ・・バネ接点
１ＦＶｓ・・平衡筒
１Ｎａ・・錘（主）
１Ｎｂ・・水平維持用の錘
１Ｖｔ・・帯形接点
２・・・・・ＬＥＤ光源（総称）
２ａ・・・・杖先近傍照明用のＬＥＤ光源
２ｂ・・・・前方照明用のＬＥＤ光源
２Ｌ・・・・ＯＮ、ＯＦＦ表示ランプ（点滅ＬＥＤ）
２Ｌｑ・・・緊急用ランプ（点滅ＬＥＤ）
３・・・・・ＳＷ部
３ａ・・・・常用ＳＷ
３ｂ・・・・緊急用ＳＷ
３Ｋ・・・・ＳＷ部の杖取付け用クリップ
３ｑ・・・・警報器
３ｗ・・・・電線
３Ｓｏ・・・３ｗのコネクター
４・・・・・電池ボックス
４Ｄ・・・・電池
４Ｂ・・・・補助電池
４Ｂｋ・・・クリップ形開口部
５・・・・・ステップアップ回路
【図１】
0003192624.tif 000003
【図２】
0003192624.tif 000004
【図３】
0003192624.tif 000005
【図４】
0003192624.tif 000006
【図５】
0003192624.tif 000007
【図６】
0003192624.tif 000008
【図７】
0003192624.tif 000009